(57)【要約】【課題】頭部の保護を図りつつ、特別な操作を行なうことなく、容易に情報を視認する。【解決手段】使用者は、第１の操作入力部１８を操作することにより、表示部１６に表示される情報の選択、情報の表示方法などを指示する。第１の操作入力部１８は、操作に応じて受け付けた表示部操作情報を制御部２６に供給する。制御部２６は、表示部操作情報に基づいて情報提供部２０から必要な情報を受け取り、受け取った情報を表示部１６に供給する。これにより、表示部１６に情報が表示される。使用者は、上目遣いでつば部１４の下面１４０２の表示部１６を見ることで、作業手順書の情報を視認することができる。【選択図】図５
2015178685.tif 000002
【特許請求の範囲】
【請求項１】
使用者の頭部に装着される本体と、
前記本体の前部に設けられたつば部と、
前記本体を装着した使用者が上目遣いで視認可能な前記つば部の下面の範囲に情報を表示する表示部と、
を備えることを特徴とする頭部装着具。
【請求項２】
前記使用者の操作により表示部操作情報を受け付ける第１の操作入力部と、
前記情報を提供する情報提供部と、
前記提供された情報を受け取ると共に、前記第１の操作入力部で受け付けられた前記表示部操作情報に基づいて前記情報の表示を制御する表示制御部と、
を備えることを特徴とする請求項１記載の頭部装着具。
【請求項３】
前記つば部は、前記本体に対して予め定められた方向に移動可能に設けられている、
ことを特徴とする請求項１または２記載の頭部装着具。
【請求項４】
前記つば部を前記予め定められた方向に移動させる移動部と、
前記使用者の操作によりつば部操作情報を受け付ける第２の操作入力部と、
前記第２の操作入力部で受け付けられた前記つば部操作情報に基づいて前記移動部による前記つば部の移動を制御する移動制御部と、
を備えることを特徴とする請求項３記載の頭部装着具。
【請求項５】
前記予め定められた方向は、前記本体の周方向に沿った方向である、
ことを特徴とする請求項３または４記載の頭部装着具。
【請求項６】
前記予め定められた方向は、前記つば部が前記本体に対して上下方向に変位する方向である、
ことを特徴とする請求項３または４記載の頭部装着具。
【請求項７】
前記予め定められた方向は、前記本体が使用者の頭部に装着された状態で、前記使用者の前後方向において前記つば部が前記本体に対して離間接近する方向である、
ことを特徴とする請求項３または４記載の頭部装着具。
【請求項８】
前記つば部は、前記本体に対して着脱可能に設けられている、
ことを特徴とする請求項１〜７の何れか１項記載の頭部装着具。
【請求項９】
前記頭部装着具は、ヘルメットまたは帽子またはサンバイザーである、
ことを特徴とする請求項１〜８の何れか１項記載の頭部装着具。
【発明の詳細な説明】
【技術分野】
【０００１】
本発明は、装着した使用者に情報を提供することが可能な頭部装着具に関する。
【背景技術】
【０００２】
建設作業に従事する作業員は、頭部の保護を図るためにヘルメットを装着している。
ヘルメットは、前部につば部が形成されているものと、つば部が形成されていないものとがあるが、何れのヘルメットであっても、頭部に装着した場合、作業員の視界のうち上部寄りの部分がつば部あるいはヘルメットの前縁によって部分的に遮られて視界が狭くなってしまう。
したがって、手元で広げた図面や作業手順書などの資料が見難く、作業効率を確保する上で不利がある。
【先行技術文献】
【特許文献】
【０００３】
【特許文献１】特開２０１３−２４１６９４号公報
【発明の概要】
【発明が解決しようとする課題】
【０００４】
資料を見る都度、頭部からヘルメットを外せば資料を視認しやすくなるが、ヘルメットをいちいち外したり装着したりすることは煩わしく、また、頭部の保護を図る観点からも好ましいものとはいえない。
本発明はこのような事情に鑑みなされたものであり、その目的は、頭部の保護を図りつつ、特別な操作を行なうことなく、容易に情報を視認する上で有利な頭部装着具を提供することにある。
【課題を解決するための手段】
【０００５】
上述の目的を達成するため、本発明は、使用者の頭部に装着される本体と、前記本体の前部に設けられたつば部と、前記本体を装着した使用者が上目遣いで視認可能な前記つば部の下面の範囲に情報を表示する表示部とを備えることを特徴とする。
【発明の効果】
【０００６】
本発明によれば、頭部装着具を装着した使用者が上目遣いでつば部の下面の表示部を見るだけで必要な情報を視認できる。したがって、必要な情報を視認する際に、頭部から頭部装着具を外す必要がないため、頭部の保護を図りつつ、特別な操作を行なうことなく、容易に情報を視認する上で有利となる。
【図面の簡単な説明】
【０００７】
【図１】第１の実施の形態に係る頭部装着具の正面図である。
【図２】図１のＡ矢視図である。
【図３】図１のＢ矢視図である。
【図４】図１のＣ矢視図である。
【図５】第１の実施の形態に係る頭部装着具が使用者の頭部に装着された状態を示す説明図である。
【図６】表示部に情報が表示された状態を示す説明図である。
【図７】第１の実施の形態に係る頭部装着具の制御系の構成を示すブロック図である。
【図８】第２の実施の形態に係る頭部装着具の断面図である。
【図９】第３の実施の形態に係る頭部装着具の断面図であり、（Ａ）はスライド部が最も後方に位置した状態を示す断面図、（Ｂ）はスライド部が最も前方に位置した状態を示す断面図、（Ｃ）は（Ａ）のＣＣ線断面図である。
【図１０】第４の実施の形態に係る頭部装着具の側面図である。
【図１１】第５の実施の形態に係る頭部装着具の制御系の構成を示すブロック図である。
【図１２】（Ａ）は第６の実施の形態に係る頭部装着具の側面図、（Ｂ）は第６の実施の形態に係る頭部装着具の要部断面図である。
【発明を実施するための形態】
【０００８】
（第１の実施の形態）
以下、本実施の形態について図面を参照して説明する。
本実施の形態では、頭部装着具が建設作業現場に従事する作業員の頭部に装着され、頭部を衝撃から保護するヘルメットである場合について説明する。
図１〜図４、図７に示すように、ヘルメット１０は、本体１２と、つば部１４と、表示部１６と、第１の操作入力部１８と、情報提供部２０と、測位部２２と、音声出力部２４と、制御部２６とを含んで構成されている。
【０００９】
図１〜図４、図５に示すように、本体１２は、使用者の頭部Ｈに装着されるものであり、頭部Ｈを覆う半球状を呈し、ＦＲＰ樹脂（繊維強化プラスチック）、あるいは、ＡＢＳ樹脂やポリカーボネート樹脂などの従来公知の様々な合成樹脂で構成されている。
図４に示すように、本体１２の内面には、ヘッドバンド２８と、ハンモック部材３０と、複数の支持ベルト３２とが設けられている。
ヘッドバンド２８は、本体１２の内面の下部に取着され本体１２の下部の全周に沿って環状に延在している。
ハンモック部材３０は、可撓性を有し、使用者の頭部Ｈの上部に当接する板状を呈している。
複数の支持ベルト３２は、ハンモック部材３０とヘッドバンド２８とを連結するものである。
そして、本体１２が頭部Ｈに装着された状態で、ハンモック部材３０およびヘッド部材が頭部Ｈに当接することで、頭部Ｈと本体１２の内面との間に空間が確保され、頭部Ｈに加わる衝撃がハンモック部材３０および支持ベルト３２によって緩和されるように構成されている。
【００１０】
つば部１４は、本体１２の前部に設けられており、本実施の形態では、本体１２の前部下縁から前方に突出するように本体１２と一体的に設けられている。
つば部１４は、前後方向の長さよりも左右方向の幅が大きな寸法で形成されている。
【００１１】
図４、図５に示すように、表示部１６は、本体１２を装着した使用者が上目遣いで視認可能なつば部１４の下面１４０２の範囲に情報を表示するものである。
本実施の形態では、表示部１６は、矩形板状を呈し、つば部１４の下面１４０２に表示面を下方に向けて取着されている。
表示部１６は、図面や作業指示書などの情報が表示可能な解像度を有していればよく、ＬＣＤディスプレイや有機ＥＬディスプレイなどの従来公知の様々な画像表示装置が使用可能である。
【００１２】
図７に示すように、第１の操作入力部１８は、使用者の操作により表示部操作情報を受け付けるものである。
表示部操作情報は、表示部１６に表示される情報の選択（例えば、図面や作業手順書といった情報の種類の選択）、情報の表示方法（例えば、頁の移動や頁数、表示内容の回転、表示内容の拡大縮小、表示内容のスクロール）などを指示するための情報である。
第１の操作入力部１８としては、例えば、以下のものが使用可能である。
１）本体１２あるいはつば部１４に設けられたスイッチ
２）表示部１６に設けられたタッチパネルスイッチ
３）本体１２あるいはつば部１４に設けられ音声を認識して表示部操作情報を受け付ける音声認識装置
なお、音声認識装置は、使用者の音声を検出する音声検出部と、検出された音声の音声認識処理を行なう音声認識部と、音声認識処理の結果に基づいて表示部操作情報を生成する情報生成部とを備えるものである。
したがって、第１の操作入力部１８として音声認識装置を用いる場合は、使用者が「図面表示」、「作業手順書表示」といったように表示する情報を選択する内容を発話し、あるいは、「１頁進む（１頁戻る）」、「３頁」といったように表示する情報の頁の移動、頁数の指示を発話することで、音声認識装置が発話内容に基づいて表示部操作情報を生成する。
【００１３】
情報提供部２０は、表示部１６に表示させる情報を提供するものである。
なお、表示部１６に表示される情報は、使用者が作業を行なうに際して必要となる様々な情報を含む。
本実施の形態では、このような情報として、各種図面、作業手順書、作業現場の地図、作業の進捗段階に応じた予定図などが挙げられる。
また、本実施の形態では、表示部１６で表示される情報の少なくとも一部は、測位情報と関連付けされており、情報提供部２０は、測位情報と関連付けられた情報を提供できるように構成されている。
情報提供部２０としては以下のものが使用可能であり、本体１２あるいはつば部１４に設けられている。
１）予め表示部１６に表示させる情報を格納している記憶媒体
記憶媒体としては、メモリカードあるいはメモリＩＣを用いることができる。
２）外部装置から無線回線を介して送信される情報を受信する受信装置
なお、記憶媒体は、予め情報が記録されたものを用いてもよく、あるいは、専用のリーダライタ装置により、記憶媒体の情報を書き換えるようにしてもよい。
また、受信装置と記憶媒体との双方を用い、受信装置で受信した情報を記憶媒体に書き込んでもよい。
【００１４】
測位部２２は、本体１２あるいはつば部１４に設けられ、ＧＰＳ衛星などの測位衛星から送信される測位信号に基づいて、ヘルメット１０を装着した使用者が位置する場所を示す測位情報を生成するものである。
【００１５】
音声出力部２４は、本体１２あるいはつば部１４に設けられ、使用者に音声情報を伝えるものである。音声出力部２４は、例えば、スピーカーと、音声情報に基づいてスピーカーを鳴動させる駆動部とを含んでいる。
【００１６】
制御部２６は、コンピュータによって構成されている。
コンピュータは、ＣＰＵと、バスラインを介して接続されたＲＯＭ、ＲＡＭ、入出力インターフェースなどを含んでいる。
ＲＯＭは所定の制御プログラムなどを格納し、ＲＡＭはワーキングエリアを提供するものである。
入出力インターフェースは、第１の操作入力部１８、情報提供部２０、測位部２２、表示部１６、音声出力部２４と接続されている。
制御部２６は、ＣＰＵが前記プログラムを実行することによって、情報提供部２０から情報を受け取ると共に、第１の操作入力部１８で受け付けられた表示部操作情報に基づいて情報の表示を制御する表示制御部を実現している。
表示制御部は、第１の操作入力部１８の操作により、例えば、以下の機能を提供する。
１）複数の情報から使用者が必要とする情報を選択する。例えば、メニュー画面や検索画面を表示部１６に表示させ、第１の操作入力部１８の操作により所望の情報を選択する。
２）表示部１６に表示される情報を拡大、縮小する。
３）表示部１６に表示される情報の角度を変更する。例えば、９０度ずつ左右に回転する。
４）表示部１６の表示面積よりも大きな面積を有する大きな情報を表示する場合、第１の操作入力部１８の操作により表示部１６に表示する部分を移動する（スクロールする）。
【００１７】
次に、ヘルメット１０の使用方法について説明する。
予め、使用者は、頭部Ｈにヘルメット１０を装着しているものとする。
使用者は、第１の操作入力部１８を操作することにより、表示部１６に表示される情報の選択を指示する。
第１の操作入力部１８は、操作に応じて受け付けた表示部操作情報を制御部２６に供給する。
制御部２６は、表示部操作情報に基づいて情報提供部２０から必要な情報を受け取り、受け取った情報を表示部１６に供給する。
また、使用者は、第１の操作入力部１８を操作することにより、表示部１６に表示される情報の表示方法を指示する。
これにより、図６に示すように、表示部１６に情報が表示される。本例では、表示される情報が、ボルトＢと、２つのワッシャＷ１、Ｗ２と、ナットＮとを組み立てる作業手順書である場合を示している。具体的には、ボルトＢ、ワッシャＷ１、Ｗ２、ナットＮの組み立て順序を示す画像と、ボルトＢの全長の数値と、ナットＮの厚さの数値とが表示部１６に表示される。
したがって、使用者は、図５に示すように、上目遣いでつば部１４の下面１４０２の表示部１６を見ることで、作業手順書の情報を視認することができる。
【００１８】
また、制御部２６は、表示部１６に表示させた情報に対応する音声情報（例えば、組み立ての作業の手順）を音声出力部２４から出力させる。
本例では、「ボルトＢの雄ねじ部を２枚のワッシャＷ１、Ｗ２に挿通させて、ナットＮと螺合してください。」といったような音声情報が出力される。
この場合、使用者は、表示部１６に表示される情報を視覚的に得ることに加えて、音声情報を聴覚的に得ることができるため、作業内容をより簡単に確実に理解することができ、作業効率を高める上で有利となる。
【００１９】
また、制御部２６は、測位部２２から供給される測位情報に基づいて測位情報に対応する情報を情報提供部２０から得て、表示部１６に表示させる。
そのため、使用者は、自らが位置する場所に対応した情報（例えば、使用者が位置する場所が示された地図、あるいは、使用者が位置する場所に対応する図面など）を簡単に確実に得ることができるため、作業効率を高める上で有利となる。
【００２０】
以上説明したように、本実施の形態によれば、ヘルメット１０の本体１２を装着した使用者が上目遣いで視認可能なつば部１４の下面１４０２の範囲に情報を表示する表示部１６を設けたので、上目遣いでつば部１４の下面１４０２の表示部１６を見るだけで必要な情報を視認できる。
したがって、必要な情報を視認する際に、頭部Ｈからヘルメット１０を外す必要がないため、頭部Ｈの保護を図りつつ、特別な操作を行なうことなく、容易に情報を視認する上で有利となる。
また、手元で図面や作業手順書などの資料を広げて見ることが困難な場合で狭い場所であっても、上目遣いでつば部１４の下面１４０２の表示部１６を見るだけで、必要な情報を確実に得ることができるため、狭い作業環境であっても作業効率を高める上で有利となる。
また、使用者の手が手摺を掴んでいたり、装置を操作していたりして、手で資料を把持することができない場合であっても、上目遣いでつば部１４の下面１４０２の表示部１６を見るだけで、必要な情報を確実に得ることができるため、手が塞がるような環境であっても作業効率を高める上で有利となる。
また、図面や作業手順書などの資料を汚損するおそれがある作業環境や、資料を雨水などで濡らすおそれがある作業環境であっても、上目遣いでつば部１４の下面１４０２の表示部１６を見るだけで必要な情報を確実に得ることができるため、作業環境を問わず作業効率を高める上で有利となる。
【００２１】
（第２の実施の形態）
次に、第２の実施の形態について図８を参照して説明する。
なお、以下の実施の形態においては、第１の実施の形態と同様の部分、部材については同一の符号を付してその説明を省略し、第１の実施の形態と異なる部分について重点的に説明する。
第２の実施の形態は、つば部１４が、本体１２に対して予め定められた方向に移動可能に設けられている点が第１の実施の形態と異なっている。
つば部１４は、表示部１６が設けられる下面１４０２と、下面１４０２の反対側に位置する上面１４０４と、下面１４０２と上面１４０４の前端を接続する前端部１４０６と、下面１４０２と上面１４０４の後端を接続する後端部１４０８とを備えている。
後端部１４０８には、上下方向に突出する一対の突片１４１０が左右方向に延在して形成されている。
本体１２の前部下端寄りの箇所には、一対の突片１４１０を係合して本体１２の周方向に移動可能に案内するガイド溝１２０２が形成され、ガイド溝１２０２の周方向の長さは、一対の突片１４１０の延在長さよりも大きな寸法で設けられている。
したがって、本実施の形態では、つば部１４は、ガイド溝１２０２に案内されることで本体１２の周方向に移動可能に設けられている。
第２の実施の形態によれば、第１の実施の形態の効果に加え、使用者の頭部前方に障害物が位置し、つば部１４を使用者の前方に向けることができないような狭い場所であっても、つば部１４を手で持って本体１２の周方向に移動し、斜め上目遣いで表示部１６を視認することができるため、使い勝手の向上を図る上で有利となる。
【００２２】
（第３の実施の形態）
次に、第３の実施の形態について図９を参照して説明する。
第３の実施の形態は、第２の実施の形態の変形例であり、つば部１４が、本体１２の周方向および前後方向の双方に移動可能に設けられている。
図９（Ａ）〜（Ｃ）に示すように、つば部１４は、本体部１４Ａと、スライド部１４Ｂとを備えている。
本体部１４Ａは、第２の実施の形態と同様に、本体部１４Ａの一対の突片１４１０が本体１２のガイド溝１２０２に案内されることで本体１２の周方向に移動可能に設けられている。
さらに、本体部１４Ａの左右方向の中央には、下方に開放され前後方向に延在するガイド溝１４１０が設けられている。
スライド部１４Ｂは、平面視した状態で本体部１４Ａの輪郭内に収まる形状と大きさ位の板状を呈している。
スライド部１４Ｂの下面には表示部１６が表示面を下方に向けて取着されている。
スライド部１４Ｂの上面の左右方向の中央にはガイド溝１４１０に係合する係合部１４１２が設けられ、スライド部１４Ｂは、係合部１４１２を介してガイド溝１４１０によって前後方向に移動可能に支持されている。
したがって、本実施の形態では、つば部１４は、ガイド溝１２０２に案内されることで本体１２の周方向に移動可能に設けられると共に、本体１２が使用者の頭部Ｈに装着された状態で、スライド部１４Ｂは、本体１２に対して前後方向に移動可能に設けられている。
第３の実施の形態によれば、第２の実施の形態の効果に加え、表示部１６を備えるスライド部１４Ｂを手で持って前後方向に移動できるため、使用者が上目遣いでより見やすい箇所に表示部１６を動かすことができ、使い勝手の向上を図る上で有利となる。
【００２３】
（第４の実施の形態）
次に、第４の実施の形態について図１０を参照して説明する。
第４の実施の形態は、つば部１４が本体１２に対して上下方向に変位可能に設けられている点が第１の実施の形態と異なっている。
本体１２の前部寄りの左右の側部に、同軸上に位置する一対の支軸１２１０が突設されている。
つば部１４の後端部１４０８の左右両端に軸受部１４２０がそれぞれ設けられ、軸受部１４２０が支軸１２１０に回転可能に支持され、つば部１４は支軸１２１０を中心として本体１２に対して上下方向に揺動可能に設けられている。
そして、それら支軸１２１０と軸受部１４２０との間にクリック機構が設けられ、所定の揺動角度毎にクリック感が得られるように構成されている。
第４の実施の形態によれば、第１の実施の形態の効果に加え、つば部１４を手で持って本体１２に対して上下方向に揺動できるため、使用者が上目遣いでより見やすい箇所に表示部１６を動かすことができるため、使い勝手の向上を図る上で有利となる。
【００２４】
（第５の実施の形態）
次に第５の実施の形態について図１１を参照して説明する。
第５の実施の形態は、第２の実施の形態の変形例であり、つば部１４を自動的に移動させるようにしたものである。
図１１に示すように、図７の構成に、移動部３４と、第２の操作入力部３６とが追加されている。
移動部３４は、つば部１４を予め定められた方向に沿って移動させるものである。
移動部３４は、例えば、本体１２に設けられたモータと、モータにより回転される歯車機構と、つば部１４に設けられ歯車機構に噛合するラックとを含んで構成されている。
モータが正逆転することにより、歯車機構およびラックを介してつば部１４が本体１２の周方向に沿って左右方向に移動する。
【００２５】
第２の操作入力部３６は、使用者の操作によりつば部操作情報を受け付けるものである。
つば部操作情報は、つば部１４の移動方向などを指示するための情報である。
第２の操作入力部３６は、第１の操作入力部１８と同様に、１）本体１２あるいはつば部１４に設けられたスイッチ、２）表示部１６に設けられたタッチパネルスイッチ、３）本体１２あるいはつば部１４に設けられた音声認識装置によって構成される。
したがって、第２の操作入力部３６として音声認識装置を用いる場合は、使用者が「左に移動」、「中央に移動」、「右に移動」といったようにつば部１４の移動方向の指示を発話することで、音声認識装置が発話内容に基づいてつば部操作情報を生成する。
なお、第２の操作入力部３６は、第１の操作入力部１８と兼用してもよいし、別々に設けてもよい。
【００２６】
制御部２６は、前記ＣＰＵが前記プログラムを実行することによって、第２の操作入力部３６で受け付けられたつば部操作情報に基づいて移動部３４によるつば部１４の移動を制御する移動制御部を実現している。
【００２７】
第５の実施の形態によれば、第２の実施の形態の効果に加え、移動部３４によりつば部１４を自動的に移動させるため、つば部１４の移動に際して行なう操作が最小限で済み、使い勝手の向上を図る上でより一層有利となる。
また、第５の実施の形態における移動部３４、第２の操作入力部３６、移動制御部２６を、第３、第４の実施の形態に適用できることは無論であり、その場合、第５の実施の形態と同様の効果が奏される。
【００２８】
（第６の実施の形態）
次に、第６の実施の形態について図１２を参照して説明する。
第６の実施の形態は、つば部１４が本体１２に対して着脱可能に設けられているものである。
図１２（Ａ）、（Ｂ）に示すように、つば部１４の後端部１４０８には、環状のゴムベルト３８が取着されており、ゴムベルト３８は、本体１２の下部の外周面に沿って着脱可能な大きさで形成されている。
したがって、ゴムベルト３８の内側に本体１２の下部を挿入することでつば部１４を本体１２に装着でき、ゴムベルト３８から本体１２を取り外すことでつば部１４を本体１２から取り外すことができる。
第６の実施の形態によれば、第１の実施の形態に加え、つば部１４を有さない本体１２からなるヘルメット１０であっても、表示部１６を有するつば部１４を容易に装着することができるので、表示部１６を備えるヘルメット１０を簡単に実現する上で有利となる。
【００２９】
なお、実施の形態では、表示部１６に表示される情報として、建築作業に関する図面、作業手順書、地図を例示したが、落雷、竜巻、豪雨、地震などの非常事態を報知する報知情報を表示部１６に表示させてもよい。
その際、ヘルメット１０は、情報提供部２０として外部装置から無線回線を介して送信される情報を受信する受信装置を備える必要があり、制御部２６（表示制御部）は、外部装置から送信される報知情報を表示部１６に表示させる。
この場合、報知情報の表示に先立って、表示部１６を点滅させて使用者の注意を喚起するようにすると、報知情報が表示されていることを使用者に確実に伝達でき、報知情報の見落としを防止する上で好ましい。
また、制御部２６は、音声出力部２４を用いてアラーム音を発生させて使用者の注意を喚起してもよいし、あるいは、音声出力部２４を用いて上記報知情報を音声により使用者に報知してもよい。また、振動を発生するバイブレータを本体１２に設けておき、制御部２６は、報知情報が提供されたときに、バイブレータを駆動して使用者の注意を喚起してもよい。このようにすると、報知情報の見落としを防止する上でより好ましい。
【００３０】
また、実施の形態では、頭部装着具が建設作業現場などで使用されるヘルメット１０である場合について説明したが、頭部装着具は、オートバイ運転者用のヘルメット１０であってもよい。
この場合、表示部１６に表示する情報を、道路地図や交通情報とすれば、運転者は、上目遣いでつば部１４の下面１４０２の表示部１６を見るだけで、運転に関する情報を簡単に確実に視認することができ、頭部Ｈからヘルメット１０を外す必要がないため、容易に情報を視認する上で有利となる。
【００３１】
また、頭部装着具は、ゴルフなどのスポーツや外出時にかぶる帽子、あるいは、サンバイザーであってもよい。
例えば、頭部装着具がゴルフ用の帽子やサンバイザーである場合、表示部１６に表示する情報を、コースに関する情報（現在位置からグリーンまでの残り距離、池やＯＢエリアなどの配置など）とすればよい。
この場合、使用者は、上目遣いでつば部１４の下面１４０２の表示部１６を見るだけで、コースに関する情報を簡単に確実に視認することができるため、ゴルフ用ナビゲーション端末を用いる場合に比較して、ゴルフ用ナビゲーション端末を手に持って操作をする手間がかからず、容易に情報を視認する上で有利となる。
【００３２】
また、使用者の視力、あるいは、表示部１６と使用者の眼との距離によっては、表示部１６に表示される画像が見難くなることが考えられる。
そこで、表示部１６と使用者の眼との間に視力を調整する光学系を設け、表示部１６の表示内容が見やすくなるようにしてもよい。
この場合、光学系を、つば部１４あるいは本体１６に対して着脱可能に設けるようにしてもよい。そのようにすると、光学系が必要なときのみ光学系を後付できるため、使い勝手を向上する上で有利となる。
また、光学系が、使用者の眼と表示部１６との間に位置する使用位置と、使用位置から退避する非使用位置との間で移動可能に設けても良い。そのようにすると、使用者の視力や表示部１６の位置に応じて光学系を簡単に使い分けることができ、使い勝手を向上する上で有利となる。
【００３３】
また、実施の形態では、第１の操作入力部１８、情報提供部２０、測位部２２、音声出力部２４、制御部２６、移動部３４、第２の操作入力部３６が本体１２あるいはつば部１４に設けられている場合について説明した。
しかしながら、第１の操作入力部１８、第２の操作入力部３６を本体１２，つば部１４とは別体に設け、制御部２６と第１の操作入力部１８、第２の操作入力部３６との間をケーブルや無線回線によって接続してもよい。このようにすると、第１の操作入力部１８、第２の操作入力部３６を操作し易い箇所、例えば、使用者の身体や衣服に取り付けることができ操作性の向上を図る上で有利となる。
また、第１の操作入力部１８、情報提供部２０、測位部２２、音声出力部２４、制御部２６、移動部３４、第２の操作入力部３６を、本体１２，つば部１４とは別体に設けられた筐体に収納し、この筐体を使用者が首からぶら下げるなどして持ち運ぶようにしてもよい。その場合、制御部２６と表示部１６との間は、ケーブルによって接続してもよいし、無線回線によって接続してもよい。このようにすると、頭部装着具の軽量化を図る上で有利となる。
【符号の説明】
【００３４】
１０  ヘルメット（頭部装着具）
１２  本体
１４  つば部
１４０２  下面
１６  表示部
１８  第１の操作入力部
２０  情報提供部
２６  制御部（表示制御部、移動制御部）
３４  移動部
３６  第２の操作入力部
【図１】
2015178685.tif 000003
【図２】
2015178685.tif 000004
【図３】
2015178685.tif 000005
【図４】
2015178685.tif 000006
【図５】
2015178685.tif 000007
【図６】
2015178685.tif 000008
【図７】
2015178685.tif 000009
【図８】
2015178685.tif 000010
【図９】
2015178685.tif 000011
【図１０】
2015178685.tif 000012
【図１１】
2015178685.tif 000013
【図１２】
2015178685.tif 000014